(57)【特許請求の範囲】
【請求項１】
基材の一方の表面に、ホログラム形成面を有する金属蒸着層、及び該金属蒸着層のホログラム形成面に着色透明印刷層を有する着色層を設け、前記着色層は、赤色、黄色、緑色の３色帯状着色透明印刷層を含み、各着色透明印刷層が繰り返し配置されていることを特徴とする鳥害防止用フィルム。
【請求項２】
前記着色層は、緑色帯状着色透明印刷層と赤色帯状着色透明印刷層との間に黄色帯状着色透明印刷層を配置した配色としたことを特徴とする請求項１に記載の鳥害防止用フィルム。
【請求項３】
前記着色層は、帯状着色透明印刷層の幅が、黄色＜赤色＜緑色の関係を有することを特徴とする請求項１又は２に記載の鳥害防止用フィルム。
【請求項４】
前記着色層は、２色以上の帯状着色透明印刷層が縞状又は同心円状に繰り返して配置されていることを特徴とする請求項１乃至３のいずれか１項に記載の鳥害防止用フィルム。
【請求項５】
前記着色層は、帯状不透明印刷層を含むことを特徴とする請求項１乃至４のいずれか１項に記載の鳥害防止用フィルム。
【請求項６】
前記帯状不透明印刷層が、赤色であることを特徴とする請求項５に記載の鳥害防止用フィルム。
【請求項７】
前記着色層は、紫外線防止剤を含んでいることを特徴とする請求項１乃至６のいずれか１項に記載の鳥害防止用フィルム。
【請求項８】
前記着色層上に、透明なオーバーコート層を設けたことを特徴とする請求項１乃至７のいずれか１項に記載の鳥害防止用フィルム。
【請求項９】
前記オーバーコート層は、紫外線防止剤を含んでいることを特徴とする請求項８に記載の鳥害防止用フィルム。
【請求項１０】
請求項１乃至９のいずれか１項に記載の鳥害防止用フィルムの、金属蒸着層及び着色層を設けた基材の反対面に、粘着剤層を設けたことを特徴とする鳥害防止用材料。
【請求項１１】
請求項１乃至９のいずれか１項に記載の鳥害防止用フィルムを、物品の表面に固定したことを特徴とする鳥害防止具。
【請求項１２】
請求項１０に記載の鳥害防止用材料を、物品の表面に固定したことを特徴とする鳥害防止具。
【発明の詳細な説明】
【技術分野】
【０００１】
本発明は、田畑や果樹園あるいは団地のベランダ等に設置して作物等を荒らす雀，烏等の鳥に恐怖心や警戒心を与えてその接近を防止する鳥害防止用フィルム及びこのフィルムを用いた鳥害防止用材料及び鳥害防止具に関する。
【背景技術】
【０００２】
前記鳥害防止手段としては、古くから案山子，鈴等が広く用いられてきた。また、例えば、表面が金属色を呈するプラスチックのテープを捩った状態で水平に張り、この捩ったテープが日光の直射を受け、そして風によりなびくことによりその反射光が虹色にきらめくようにして、鳥に警戒心を与えたものや、周期的に爆発音を発生させて鳥に恐怖心を与え、近づかない忌避反応を起こさせるようにしたものがある。
【０００３】
また、さらに猛禽類の目玉を印刷等により設けたテープ、シートを用い、鳥が近づかないような手段が提案されている（特許文献１、２参照）。
しかしながら、このような従来の鳥害防止手段は、まず、案山子やそれに類似するものは、相当の大きさと重さを有しており、田畑に設置することは可能であるが、都市部に設置することは難しい。また、前記手段は、静止状態に保たれているので、鳥に与える恐怖感が弱く、程なく慣れて鳥害防止効果が薄れるおそれがあった。
【０００４】
また、特許文献１、２に示す手段の、シートまたはテープを張ったものは、比較的コストが安くてすむが、前記治具は、田畑に設置することは可能であるが、都市部に設置することは難しい。
さらに、金属色を呈するプラスチックのテープは、捩った状態とすることで、虹色にきらめくような表示ができるが、平滑な面に貼るだけでは単なる反射光となり、鳥に与える恐怖感が弱く、一時的に効果があっても、鳥の慣れや学習能力により、時間の経過と共に効果が薄れることが多かった。
【先行技術文献】
【特許文献】
【０００５】
【特許文献１】実開平０１−０９９１７４号公報
【特許文献２】実開平０１−１４９９６８号公報
【発明の概要】
【発明が解決しようとする課題】
【０００６】
本発明の目的は、上記の点に鑑みてなされたものであり、簡単な構成で、平面状態でも鳥にきわめて強い忌避反応を長期にわたって起させる鳥害防止用フィルム、鳥害防止材料及び鳥害防止具を提供することである。
【課題を解決するための手段】
【０００７】
本発明の第１の態様は、基材の一方の表面に、ホログラム形成面を有する金属蒸着層、及び該金属蒸着層のホログラム形成面に着色透明印刷層を有する着色層を設け、前記着色層は、赤色、黄色、緑色の３色帯状着色透明印刷層を含み、各着色透明印刷層が繰り返し配置されていることを特徴とする鳥害防止用フィルムである。
本発明の第２の態様は、前記第１の態様において、前記着色層は、緑色帯状着色透明印刷層と赤色帯状着色透明印刷層との間に黄色帯状着色透明印刷層を配置した配色としたことを特徴とする鳥害防止用フィルムである。
【０００８】
本発明の第３の態様は、前記第１又は第２の態様において、前記着色層は、帯状着色透明印刷層の幅が、黄色＜赤色＜緑色の関係を有することを特徴とする鳥害防止用フィルムである。
本発明の第４の態様は、前記第１乃至第３のいずれか１つの態様において、前記着色層は、２色以上の帯状着色透明印刷層が縞状又は同心円状に繰り返して配置されていることを特徴とする鳥害防止用フィルムである。
【０００９】
本発明の第５の態様は、前記第１乃至第４のいずれか１つの態様において、前記着色層は、帯状不透明印刷層を含むことを特徴とする鳥害防止用フィルムである。
本発明の第６の態様は、前記第５の態様において、前記帯状不透明印刷層が、赤色であることを特徴とする鳥害防止用フィルムである。
本発明の第７の態様は、前記第１乃至第６のいずれか１つの態様において、前記着色層は、紫外線吸収剤を含んでいることを特徴とする鳥害防止用フィルムである。
本発明の第８の態様は、前記第１乃至第７のいずれか１つの態様において、前記着色層上に、透明なオーバーコート層を設けたことを特徴とする鳥害防止用フィルムである。
【００１０】
本発明の第９の態様は、前記第８の態様において、前記オーバーコート層は、紫外線防止剤を含んでいることを特徴とする鳥害防止用フィルムである。
本発明の第１０の態様は、前記第１乃至第９のいずれか１つの態様の鳥害防止用フィルムの、金属蒸着層及び着色層を設けた基材の反対面に、粘着剤層を設けたことを特徴とする鳥害防止用材料である。
本発明の第１１の態様は、前記第１乃至第９のいずれか１つの態様の鳥害防止用フィルムを、物品の表面に固定したことを特徴とする鳥害防止具である。
本発明の第１２の態様は、前記第１０の態様の鳥害防止用材料を、物品の表面に固定したことを特徴とする鳥害防止具である。
【発明の効果】
【００１１】
本発明の第１の態様の鳥害防止用フィルムにおいては、着色層の着色透明印刷層と金属蒸着層のホログラム形成面とにより、玉虫に近い反射光を発するので、烏等が嫌うフィルムが出来上がったため、長期にわたって鳥類を忌避することが可能となった。ここで、前記着色層として、赤色、黄色、緑色の３色帯状着色透明印刷層を含み、これらの着色透明印刷層を繰り返し設けているので、より玉虫に近い光沢模様が表現されているように見えるので、烏等が嫌い、鳥類を忌避する効果がさらに向上した。
【００１２】
また、本発明の第２の態様の鳥害防止用フィルムにおいては、着色層が、緑色、黄色、赤色、黄色の帯状着色透明印刷層の順の配色が繰り返し設けることにより、さらに、より玉虫に近い光沢模様が表現されているように見えるので、烏等が嫌い、鳥類を忌避する効果がより向上させることができた。
また、本発明の第３の態様の鳥害防止用フィルムにおいては、着色層が、帯状着色透明印刷層の幅を、黄色＜赤色＜緑色の関係としたことにより、さらに、より玉虫に近い光沢模様が表現されているように見えるので、烏等が嫌い、鳥類を忌避する効果をより向上させることができた。
【００１３】
また、本発明の第４の態様の鳥害防止用フィルムにおいては、着色層が、２色以上の着色透明印刷層が縞状または同心円状に繰り返されているので、より玉虫に近い光沢模様が表現されているように見えるので、より烏等が嫌い、鳥類を忌避することが可能となった。
また、本発明の第５の態様の鳥害防止用フィルムにおいては、着色層が、帯状着色透明印刷層と帯状不透明印刷層を有するので、さらに玉虫に近い光沢模様が表現されているように見えるので、より烏等が嫌い、鳥類を忌避することが可能となった
また、本発明の第６の態様の鳥害防止用フィルムにおいては、帯状不透明印刷層が赤色であるので、玉虫に近い光沢模様が表現されているように見えるので、より烏等が嫌い、鳥類を忌避することが可能となった。
【００１４】
また、本発明の第７又は第９の態様の鳥害防止用フィルムにおいては、着色層、またはオーバーコート層が紫外線防止剤を含有するので、屋外での劣化を防止することが可能となった。
また、本発明の第８の態様の鳥害防止用フィルムにおいては、着色層上に透明なオーバーコート層を設けたので、前記着色層Ｍを保護することが可能となった。
【００１５】
また、本発明の第１０の態様の鳥害防止用材料においては、鳥害防止用フィルムの基材の、金属蒸着層、及び着色層を設けた面の反対面に、粘着剤層を設けたので、鳥害防止したい場所、物品の表面に容易に固定することができる。
また、本発明の第１１の態様の鳥害防止具においては、前記鳥害防止用フィルムを物品に固定するだけで、鳥類を忌避することが可能となった。
また、本発明の第１２の態様の鳥害防止具においては、粘着剤層を用いて前記鳥害防止用材料を物品に固定するだけで、鳥類を忌避することが可能となった。
【図面の簡単な説明】
【００１６】
【図１】本発明の鳥害防止用フィルムの第１実施例を示す断面説明図である。
【図２】本発明の鳥害防止用フィルムの第２実施例を示す断面説明図である。
【図３】本発明の鳥害防止用フィルムの着色層の第１実施例を示す説明図である。
【図４】本発明の鳥害防止用フィルムの着色層の第２実施例を示す説明図である。
【図５】本発明の鳥害防止用フィルムを用いた鳥害防止具の一実施例を示す説明図である。
【図６】本発明の鳥害防止用フィルムを用いた鳥害防止用材料の一実施例を示す説明図である。
【図７】本発明の鳥害防止用フィルムを用いた鳥害防止用材料の他の実施例を示す説明図である。
【発明を実施するための形態】
【００１７】
本発明の第１の実施形態の鳥害防止用フィルムは、図１に示すように、基材１０の一方の表面に、接着剤層１１を介してホログラム形成面２１を有する金属蒸着層２０、及び該金属蒸着層２０のホログラム形成面２１に着色透明印刷層３１を有する着色層３０を設けた鳥害防止用フィルム１である。
上記構成とすることで、烏等が嫌う玉虫に近い光沢模様が表現されているように見えるので、鳥類を忌避する効果を発現することが可能となった。
ここで、前記ホログラム形成面２１のホログラムパターンを工夫することで、より玉虫に近い光沢模様が表現されているように見えるので、鳥害防止効果を発揮することができる。
【００１８】
また、前記着色層３０は、２色以上の帯状着色透明印刷層３１の構成とすることで、異なる色のより玉虫に近い光沢模様が表現されているように見えるので、鳥害防止効果を発揮することができる。
また、前記着色層３０は、紫外線防止剤を入れることにより、屋外での劣化を防止することができるようにしてもよい。
また、前記着色層３０は、着色透明印刷層３１だけでなく、不透明印刷層３２を組み合わせた鳥害防止用フィルム１としてもよい。
【００１９】
さらに、前記着色層３０上に、さらに透明なオーバーコート層を設けることで、鳥害防止用フィルムの保護が高められる。
ここで、前記オーバーコート層は、透明な樹脂層、または透明なプラスチックフィルムのいずれかからなり、紫外線防止剤を含有させたものが、屋外での劣化を防止することができる。このように紫外線防止剤を含有するオーバーコート層を設けた場合は、前記着色層３０には、紫外線防止剤を入れなくともよい。
【００２０】
また、前記着色層３０は、２色以上の帯状着色透明印刷層を、例えば、図３に示すように、赤色帯状透明印刷層３１ａ、黄色帯状透明印刷層３１ｂ、緑色帯状透明印刷層３１ｃの３色を縞状に配置した構成、または、図４に示すように、赤色帯状透明印刷層３１ａ、黄色帯状透明印刷層３１ｂ、緑色帯状透明印刷層３１ｃの３色を同心円状に配置した構成のいずれでもよい。
ここで、前記２色以上の着色帯状透明印刷層、または２色以上の帯状着色透明印刷層と帯状不透明印刷層の組み合わせのいずれかを、縞状または同心円状とする際、各帯状着色透明印刷層は、同じ幅でもよいし、それぞれ異なる幅としてもよい。
【００２１】
また、不透明印刷層３２は、前記２色以上の帯状着色透明印刷層のうち、赤色帯状透明印刷層３１ａに設けることにより、特に、玉虫に近い光沢模様が表現されているように見えるので好ましい。
また、着色層３０は、着色透明なインキを印刷形成した着色透明印刷層からなる構成、または該着色透明印刷層と不透明印刷層を組み合わせて使用した構成でもよく、特に、赤色帯状透明印刷層部分を赤色帯状不透明印刷層とすることが好ましい。
【００２２】
ここで、着色層は、例えば、緑色、赤色、黄色の３色の帯状着色透明印刷層を適宜組み合わせるか、帯状着色透明印刷層と帯状不透明印刷層の３色を組み合わせて配置した構成とするのが好ましい。
前記着色層を構成する緑色、赤色、黄色の３色の帯状着色透明印刷層の、前記緑色は、青緑色から黄緑色の範囲で緑色の範疇に属する色、前記赤色は、赤紫色から橙色の範囲で赤色の範疇に属する色、前記黄色は、黄緑色から橙色の範囲で黄色の範疇に属する色を意味する。
【００２３】
また、前記鳥害防止用フィルムにおいては、着色層が、赤色、黄色、緑色の３色の帯状着色透明印刷層を含む構成とすることが、より玉虫に近い光沢模様が表現されているように見えるので、烏等が嫌い、鳥類を忌避することができるので好ましい。
また、前記鳥害防止用フィルムにおいては、着色層が、緑色帯状着色透明印刷層と赤色帯状着色透明印刷層との間に黄色帯状着色透明印刷層を配置した配色としたことにより、さらに、より玉虫に光沢模様が表現されているように見えるので、烏等が嫌い、鳥類を忌避する効果がより向上させることができるので好ましい。
【００２４】
具体的には、帯状透明印刷層の配色は、緑色／黄色／赤色／黄色／緑色、赤色／黄色／緑色／黄色／赤色のように、緑色と赤色が隣り合わない、間に黄色が配置された配色とすればよい。
また、前記鳥害防止用フィルムにおいては、着色層が、帯状着色透明印刷層の幅を、黄色＜赤色＜緑色の関係としたことにより、さらに、より玉虫に近い光沢模様が表現されているように見えるので、烏等が嫌い、鳥類を忌避する効果をより向上させることができるので好ましい。
【００２５】
そして、図５に示すように、前記鳥害防止用フィルム１は、ごみ箱等の物品５の表面に接着剤、粘着テープ等の固定手段を用いて、取り付け固定して鳥害防止具８とすることができる。
また、前記鳥害防止用フィルム１をそのまま用いる以外に、図６に示すように、前記鳥害防止用フィルム１の、金属蒸着層、及び着色層、オーバーコート層を設けた基材１０の面の反対面に粘着剤層４０、剥離シート４１を設けた鳥害防止用材料２としてもよい。
【００２６】
そして、この鳥害防止用材料２を使用する場合、前記剥離シート４１を剥離除去し、粘着剤層４０により、ごみ箱等の物品５表面に取り付け固定して鳥害防止具８とすればよい。
また、前記鳥害防止用フィルム１をそのまま用いる以外に、図７に示すように、前記鳥害防止用フィルム１の、テープ状に細長く裁断したテープ状鳥害防止用材料２としてもよい。
この場合、前述と同様に、前記鳥害防止用フィルム１の、金属蒸着層、着色層及びオーバーコート層を設けた基材１０の面の反対面の粘着剤層４０、剥離シート４１を設けた構成としてもよい。
ここで、前記鳥害防止用フィルム１の基材１０は、紙、プラスチックフィルム、またはこれらを組み合わせた複合フィルムのいずれであってもよい。
【００２７】
また、接着剤層１１、及び粘着剤層４０は、長期間屋外において使用しても、劣化しにくい接着剤であれば適宜使用することができる。また、接着剤、及び粘着剤に紫外線防止剤をいれることにより、屋外での劣化を防止するようにしてもよい。
また、金属蒸着層２０は、具体的には、５〜１００ｎｍの厚さのアルミニウム蒸着層を用いることにより、表面にホログラムを形成することができ、また、反射効果もあり、玉虫に近い光沢模様が表現され、所期の効果を発揮することができる。
さらに、鳥害防止用フィルムまたは鳥害防止用材料を固定する対象物は、ごみ箱、ごみ置き場、駅舎、送電線、送電線用鉄塔、果樹園、風船等があるが、これに限らず、鳥害防止を目的とするものである。 
【符号の説明】
【００２８】
１      鳥害防止用フィルム
２      鳥害防止用材料
５      物品
８      鳥害防止具
１０    基材
１１    接着剤層
２０    金属蒸着層
２１    ホログラム形成面
３０    着色層
３１    着色透明印刷層
３１ａ  赤色帯状着色透明印刷層
３１ｂ  黄色帯状着色透明印刷層
３１ｃ  緑色帯状着色透明印刷層
３２    不透明印刷層
４０    粘着剤層
４１    剥離シート
【図１】
0005475840.tif 000002
【図２】
0005475840.tif 000003
【図３】
0005475840.tif 000004
【図４】
0005475840.tif 000005
【図５】
0005475840.tif 000006
【図６】
0005475840.tif 000007
【図７】
0005475840.tif 000008